(57)【要約】【課題】仏壇の内装を各宗派に対応させた飾り付けに容易に組み替えできるような構造にした佛壇。【解決手段】仏壇の背板に屋根および柱を一体構造化した背板屋根構造体モジュール部分と前内装部、側板および台座部を一体構造化した前部台座構造体モジュール部分に分離し、各宗派に応じて組み替え可能とした。【選択図】図１
2011011060.tif 000002
【特許請求の範囲】
【請求項１】
屋根構造体及びその下方の装飾柱を仏壇の背板部に取り付けた背板屋根構造体と、
仏具等を置く台座と側板、前部装飾とを一体化させた前部台座構造体とを有し、
前記背板屋根構造体と前記前部台座構造体とを分離可能として、互いに異なる前記背板屋根構造体と前記前部台座構造体とを組み合わせることで各種形式の仏壇に対応可能にするとともに、
前記屋根構造体と前記前部台座構造体との間に隙間を形成して屋根構造体と側面とを非接触かつ分離状態にし、前記側板に近接する屋根構造体の前面の角を曲面状に形成することで前記隙間を目立たなくしたことを特徴とする仏壇。
【請求項２】
前記屋根構造体を背板と下部の板のみに固定したことを特徴とする請求項１に記載の仏壇。
【発明の詳細な説明】
【技術分野】
【０００１】  本発明は、従来の金仏壇の装飾構造に関し、特に各宗派に対応させた仏壇を、短時間で容易に組み立てできるようにした仏壇に関するものである。
【背景技術】
【０００２】  金仏壇の構造飾り付けの仕方は、仏教各派によって違いがある。例えば、浄土真宗の大谷派と本願寺派では、屋根の構造が一重屋根、二重屋根、内部柱が黒柱１０本、金柱８本などの違いがある。従来では、各宗派の仏壇を提供するためには、客先の注文によって、それにあった仏壇をその都度制作していた。また、屋根部分のみを交換しようとした場合、上台を外すなどの解体修理を必要としていた。
それは、屋根部分は側面内寸と同寸法で側面に固定するという決まりがあり、外部より側面の板を貫通させる形の釘で固定していた為に、側面の補修が必要となった。又、解体せずに屋根部分を交換しようとすると、屋根の横幅と側面の板の内寸法が同じである事や、形状が宗派によって異なるために、新たに金箔等を必ず傷つけてしまった。さらに、屋根の柱の数も違う為、柱取り付け部分の下部の板も補修の必要があった。その為にコストおよび納期的問題を持っていた。さらにこの問題を解決する為に、屋根部分を背面と下部にのみ固定し、屋根部分と側面に隙間を形成すればよいが、先に述べたように隙間なく固定するという決まりがある為に、目張りなどの隙間を埋める必要があった。しかし、屋根部分は宗派によって形状が違う為に目張り等、隙間を埋めると言う事は事実上不可能だった。従って、実質的に金仏壇のユニット化は困難とされている。
本発明の発明者は、これら従来の問題を極めて簡単な方法で解決し、ユニット化された金仏壇の商品化を可能にしようとした物である。
【特許文献１】  該当無し
【発明の開示】
【０００３】  ユニットと本体との間に隙間を形成し、隙間との境界に位置するユニットのコーナー部を曲面状に形成した。
【発明が解決しようとする課題】
【０００４】  このように、仏壇の注文を受けそれから制作にかかっていたものを、仏壇の構造を共通する部分と、大きく異なる部分とに分離し、おのおのの構造体を前もって制作しておき、お客様の要求に応じた組み合わせをすることによって、コスト、納期的問題が解決できる。又、従来の固定方法では屋根の幅と前部台座構造体の内寸法は同じという決まりが有り、外部より前部台座構造体の側面を貫通させる形の釘で固定していた為に、交換する際に側面に傷が残る事や、解体せずに屋根部分を交換しようとすると、二つの構造体の寸法が同じである事や、形状が宗派によって異なるために、新たに金箔等を必ず傷つけてしまった。しかし、屋根部分を背面と下部にのみ固定し、屋根部分を若干小さくする事でこれを解消した。この際、新たに屋根部分と側面の間が開いてしまった。先に述べたように隙間なく固定するという決まりがある為に、目張りなどの隙間を埋める必要があった。しかし、屋根部分は宗派によって形状が違う為に目張り等、隙間を埋めると言う事は不可能だったが、屋根の前面の角を丸くすると言う事で隙間を解らなくし、従来の仏壇の常識を覆した。
【課題を解決する手段】
【０００５】  上記目的を達成するために、本発明は、仏壇を構造的に解析し、すべての宗派に共通する部分と、各宗派に応じて異なる部分とに分離し、共通する部分と異なる部分とに構造体を作り上げモジュール化することが可能であることを見いだした。
従来の固定方法では屋根の幅と前部台座構造体の内寸法は同じという決まりが有り、外部より前部台座構造体の側面を貫通させる形の釘で固定していた為に、交換する際に側面に傷が残る事や、解体せずに屋根部分を交換しようとすると、二つの構造体の寸法が同じである事や、形状が宗派によって異なるために、新たに金箔等を必ず傷つけてしまった。しかし、屋根部分を背面と下部にのみ固定し、屋根部分を若干小さくする事でこれを解消した。この際、新たに屋根部分と側面の間が開いてしまった。先に述べたように隙間なく固定するという決まりがある為に、目張りなどの隙間を埋める必要があった。しかし、屋根部分は宗派によって形状が違う為に目張り等、隙間を埋めると言う事は不可能だったが、屋根の前面の角を丸くすると言う事で隙間を解らなくし、従来の仏壇の常識を覆した。
このように、構造体をモジュール化することにより、前もって、それぞれの構造体を制作しておき、お客様の要求する構造体のものを、共通構造体に組み合わせ取り付けることによって、即座に仏壇が提供可能となる。
【発明を実施するための最良の形態】
【０００６】背板屋根構造体と前部台座構造体を作成する。背板屋根構造体は、屋根を背板と下部にのみ固定した物で、屋根部分の幅を両側５ｍｍ程度小さく作る。そして屋根部分の通常なら側面板に接する部分を、すべて曲面で作成する。これによって、左右の隙間を目の錯覚を利用し解らなくする。背板屋根構造体の下部と前部台座構造体が接する部分に凹凸のレールを設け、左右に動かないようにする。これによって背板屋根構造体と前部台座構造体のスムーズな交換が可能になる。以下、本発明の仏壇の実施の形態を図面に基づいて説明する。【０００７】  図１は、背板屋根構造体モジュールと前部台座構造体モジュールを組み合わせする直前の斜視図を模写したものである。背板１に屋根部３と柱部４を一体化し、容易に切り替えできるようにしたものである。その背板屋根構造体モジュールの一例として、全体斜視図を図５に示す。図３，図４は背板屋根構造体モジュールを各宗派の構造例の断面図を示した物でありこれを取り替えることにより、各宗派対応が可能となる。図２は前部台座構造体構造体モジュールの断面図を示したものである。図６は背板屋根構造体を前部台座構造体に設置した時の正面からの見え方と、通常の仏壇の見え方の比較図である。この図６にある拡大図の曲面によって、通常は隙間なく固定している物を、隙間があっても判らなくしている。
【発明の効果】
【０００８】  本発明の仏壇によれば、あらかじめ各宗派に共通する前部台座構造体モジュールおよび各宗派によって異なる背板屋根構造体モジュールを制作用意しておき、お客様の宗派にあわせて、各モジュールを組み合わせることにより、即座に仏壇が提供可能となる。
これにより、仏壇制作のコスト、納期問題が大きく改善することができる。
【図面の簡単な説明】
【０００９】  図１は、あらかじめ先に制作された背板屋根構造体モジュールと前部台座構造体モジュールを組み立てる直前の斜視図を示したものであり、図２は前部台座構造体モジュールの中央断面図を示したものである。図３、図４は、背板屋根構造体モジュールの構造の異なる例の断面図を示した物である。図５は、背板屋根構造体モジュールの全体斜視図である。
【符号の説明】
【００１０】１      背板屋根構造体モジュールの背板
２      前部台座構造体モジュールの側板
３      背板屋根構造体モジュールの屋根
４      背板屋根構造体モジュールの柱
５      前部台座構造体モジュールの台座
６      前部台座構造体モジュールの前柱
【図１】
2011011060.tif 000003
【図２】
2011011060.tif 000004
【図３】
2011011060.tif 000005
【図４】
2011011060.tif 000006
【図５】
2011011060.tif 000007
【図６】
2011011060.tif 000008